【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
ターゲットアドレスにコンテンツを送信する方法であって、
複数のコンテンツソースのうち少なくとも１つを識別する少なくとも１つのパラメータを受信するステップであって、前記コンテンツソースは、ユーザがコンテンツ転送機能を呼び出しているコンテキストに関連付けられたアプリケーションおよびそのアプリケーションの機能を含む、ステップと、
ユーザインタフェースが呼び出されている前記アプリケーションまたはアプリケーションの機能からカスタマイズされたコンテンツ転送機能を提供するために、前記少なくとも１つのパラメータに基づいて、前記コンテンツ転送機能をカスタマイズするステップと、
前記カスタマイズされたコンテンツ転送機能を前記ユーザに提供するステップであって、前記カスタマイズされたコンテンツ転送機能は、前記ユーザが複数のアプリケーションから前記ターゲットアドレスにコンテンツを転送することを可能にする、ステップと、
ベースユーザインタフェース表示内に表示されたコンテンツ転送アイコンをアクティブ化することで前記コンテンツ転送ユーザインタフェースを呼び出すステップと、を備え、
前記ベースユーザインタフェースの表示は、ベースユーザインタフェースのプロバイダ（ＢＵＩＰ）によって管理され、
前記カスタマイズされたコンテンツの転送は、コンテンツ転送ユーザインタフェースのプロバイダ（ＣＦＵＩＰ）によって管理され、
前記コンテンツ転送アイコンは、ユーザがターゲットアドレスへ転送することを意図する、前記ベースユーザインタフェースの表示内の識別情報項目に関連づけられ、
前記カスタマイズされたコンテンツ転送機能は、前記ユーザとインタラクトして前記識別情報項目を前記ターゲットアドレスに転送する、少なくとも１つのコンテンツ転送ユーザインタフェースの表示を含む
ことを特徴とする方法。
【請求項２】
前記コンテンツ転送機能は、前記ユーザの第１のデバイスによって呼び出され、
前記ターゲットアドレスは、第２のデバイスに関連付けられている
ことを特徴とする請求項１に記載の方法。
【請求項３】
前記第１のデバイスはコンピュータであり、
前記第２のデバイスは移動電話機である
ことを特徴とする請求項２に記載の方法。
【請求項４】
前記カスタマイズされたコンテンツ転送機能を使用して、前記ユーザから、少なくとも前記ターゲットアドレスを識別する要求情報を受信するステップと、
前記要求情報に基づいて、前記ターゲットアドレスに前記コンテンツを提供する際に使用するためのメッセージを構築するステップと
をさらに備えることを特徴とする請求項１に記載の方法。
【請求項５】
前記要求情報は、前記ターゲットアドレスに関連付けられた電話番号の指定を含む
ことを特徴とする請求項４に記載の方法。
【請求項６】
前記構築するステップは、ＵＲＬおよびテキストコンテンツに基づいて前記メッセージを構築することを特徴とする請求項４に記載の方法。
【請求項７】
少なくとも前記ＵＲＬに関連付けられた参照情報を形成するステップをさらに備え、
前記参照情報は、前記ＵＲＬの代わりに前記ターゲットアドレスに送信される
ことを特徴とする請求項６に記載の方法。
【請求項８】
前記ターゲットアドレスに前記メッセージを配信するための好ましい機構を決定するステップと、
前記好ましい機構を使用して、前記ターゲットアドレスに前記メッセージを転送するステップと
をさらに備えることを特徴とする請求項４に記載の方法。
【請求項９】
前記ターゲットアドレスに前記メッセージを配信するための好ましいフォーマットを決定するステップと、
前記好ましいフォーマットを使用して、前記ターゲットアドレスに前記メッセージを転送するステップと
をさらに備えることを特徴とする請求項４に記載の方法。
【請求項１０】
前記少なくとも１つのパラメータは、
前記ユーザによって使用されているベースユーザインタフェースアプリケーションを識別するアプリケーション情報と、該ベースユーザインタフェースアプリケーションにおけるシナリオを識別するアプリケーションシナリオ情報と、前記ターゲットアドレスに関連付けられた場所を識別するロケール情報と、前記ベースユーザインタフェースアプリケーションを提供するエンティティを識別するパートナー情報とのうちの１つまたは複数を含む
ことを特徴とする請求項１に記載の方法。
【請求項１１】
前記ターゲットデバイスに転送される前記コンテンツは、複数のコンテンツタイプの１つまたは複数を含み、前記複数のコンテンツのタイプは、検索結果と、地図と、イメージと、オーディオ情報と、構成情報とのうちの１つまたは複数を含む
ことを特徴とする請求項１に記載の方法。
【請求項１２】
請求項１に記載の方法を実行するためのマシン実行可能命令を含むことを特徴とするマシン読み取り可能な記憶媒体。
【請求項１３】
ターゲットアドレスにコンテンツを送信するためのシステムであって、
第１のデバイスと、
前記ターゲットアドレスに関連付けられている第２のデバイスと、
ベースユーザインタフェース表示を提供するベースユーザインタフェースアプリケーションと、
前記ベースユーザインタフェース表示とともに、前記第１のデバイスにてユーザに表示するために、コンテンツ転送ユーザインタフェース表示を提供するためのインタフェースプロバイダと、
前記コンテンツ転送ユーザインタフェース表示を介して、前記第１のデバイスにて前記ユーザによって入力される要求情報を処理するための要求処理機能と
を備え、
前記要求情報は、前記要求処理機能が前記第２のデバイスにコンテンツを転送することを可能にする
ことを特徴とするシステム。
【請求項１４】
前記第１のデバイスはコンピュータであり、
前記第２のデバイスは移動電話機である
ことを特徴とする請求項１３に記載のシステム。
【請求項１５】
前記インタフェースプロバイダは、前記ユーザが前記コンテンツ転送ユーザインタフェース表示を呼び出すコンテキストを反映する少なくとも１つの受信されたパラメータに基づいて、前記コンテンツ転送ユーザインタフェース表示をカスタマイズするように構成されている
ことを特徴とする請求項１３に記載のシステム。
【請求項１６】
前記要求処理機能は、前記要求情報に基づいて、前記第２のデバイスに前記コンテンツを提供する際に使用するためのメッセージを構築することにより、前記要求情報を処理するように構成されている
ことを特徴とする請求項１３に記載のシステム。
【請求項１７】
ターゲットアドレスにコンテンツを送信するためのシステムであって、
送信されるコンテンツであって、検索結果、地図、イメージ、オーディオ情報および構成情報を含む複数のタイプの少なくとも１つであるコンテンツ、にアクセスするソースデバイスと、
ターゲットアドレスに関連づけられたターゲットデバイスと、
前記ソースデバイス上の複数のアプリケーションによってアクセス可能なベースユーザインタフェースを提供するベースユーザインタフェースアプリケーションと、
前記ソースデバイスを介して、ベースユーザインタフェースと連動してコンテンツ転送ユーザインタフェースを提供する１または複数のコンテンツ転送ユーザインタフェースプロバイダ（ＣＦＵＩＰ）であって、前記コンテンツ転送ユーザインタフェースは、前記ソースデバイス上の複数のアプリケーションから複数のコンテンツタイプの入力を受け付け可能であり、
コンテンツ要求情報を受け付け、前記ＣＦＵＩＰから受信したコンテンツを前記ターゲットデバイスで受付可能なフォーマットで当該ターゲットデバイスへの転送する要求処理プロバイダ（ＲＰＰ）と
を備えたことを特徴とするシステム。